【手続補正書】
【提出日】平成26年8月6日(2014.8.6)
【手続補正１】
【補正対象書類名】特許請求の範囲
【補正対象項目名】全文
【補正方法】変更
【補正の内容】
【特許請求の範囲】
【請求項１】
Ｍ２Ｍ（Ｍａｃｈｉｎｅ  ｔｏ  Ｍａｃｈｉｎｅ）通信環境をサポートする無線アクセスシステムで非正常停電状況を報告する方法であって、前記方法は、Ｍ２Ｍ機器によって行われ、前記方法は、
連結状態の前記Ｍ２Ｍ機器において前記非正常停電状況を検出することと、
シグナリングヘッダーを伝送するための帯域幅を要請する帯域幅要請プリアンブルシーケンスを基地局に伝送することであって、前記シグナリングヘッダーは、前記非正常停電状況を報告するために使用される、ことと、
前記帯域幅要請プリアンブルシーケンスに応答して前記帯域幅を指示する資源割り当て情報を受信することと、
前記帯域幅を介して基地局に前記シグナリングヘッダーを伝送することと
を含み、
前記シグナリングヘッダーは、前記非正常停電状況を報告するための停電指示子を含む、方法。
【請求項２】
前記シグナリングヘッダーに応答して応答メッセージを受信することであって、前記応答メッセージは、電源遮断動作が行われることを指示する、ことと、
前記応答メッセージを受信した後に前記電源遮断動作を行うことと
をさらに含む、請求項１に記載の方法。
【請求項３】
前記停電指示子は、１ビットの緊急タイプフィールドである、請求項１に記載の方法。
【請求項４】
前記シグナリングヘッダーは、Ｍ２Ｍ非正常電源遮断報告ヘッダーである、請求項１に記載の方法。
【請求項５】
Ｍ２Ｍ（Ｍａｃｈｉｎｅ  ｔｏ  Ｍａｃｈｉｎｅ）通信環境をサポートする無線アクセスシステムで非正常停電状況を報告する方法であって、前記方法は、基地局によって行われ、前記方法は、
シグナリングヘッダーを伝送するための帯域幅を要請する帯域幅要請プリアンブルシーケンスをＭ２Ｍ機器から受信することであって、前記シグナリングヘッダーは、前記非正常停電状況を報告するために使用される、ことと、
前記帯域幅要請プリアンブルシーケンスに応答して前記帯域幅を指示する資源割り当て情報を伝送することと、
前記帯域幅を介して前記Ｍ２Ｍ機器からシグナリングヘッダーを受信することと
を含み、
前記シグナリングヘッダーは、前記非正常停電状況を報告するための停電指示子を含む、方法。
【請求項６】
前記シグナリングヘッダーに応答して応答メッセージを伝送することをさらに含み、前記応答メッセージは、電源遮断動作が行われることを指示する、請求項５に記載の方法。
【請求項７】
前記停電指示子は、１ビットの緊急タイプフィールドである、請求項５に記載の方法。
【請求項８】
前記応答メッセージは、受信確認応答（ＡＣＫ）メッセージ又はＭ２Ｍ非正常電源遮断確認ヘッダーである、請求項６に記載の方法。
【請求項９】
前記シグナリングヘッダーは、Ｍ２Ｍ非正常電源遮断報告ヘッダーである、請求項５に記載の方法。
【請求項１０】
Ｍ２Ｍ（Ｍａｃｈｉｎｅ  ｔｏ  Ｍａｃｈｉｎｅ）通信環境をサポートする無線アクセスシステムで非正常停電状況を報告するＭ２Ｍ機器であって、前記Ｍ２Ｍ機器は、
送信機と、
受信機と、
前記非正常停電状況の検出及び報告する動作を制御するプロセッサと
を含み、
前記Ｍ２Ｍ機器は、
前記プロセッサを通して連結状態で前記非正常停電状況を検出することと、
前記送信機を制御することによって、シグナリングヘッダーを伝送するための帯域幅を要請する帯域幅要請プリアンブルシーケンスを基地局に伝送することであって、前記シグナリングヘッダーは、前記非正常停電状況を報告するために使用される、ことと、
前記受信機を制御することによって、前記帯域幅要請プリアンブルシーケンスに応答して前記帯域幅を指示する資源割り当て情報を受信することと、
前記送信機を制御することによって、前記帯域幅を通して前記基地局にシグナリングヘッダーを伝送することであって、前記シグナリングヘッダーは、前記非正常停電状況を報告するための停電指示子を含む、ことと
を行うように構成されている、Ｍ２Ｍ機器。
【請求項１１】
前記Ｍ２Ｍ機器は、
前記シグナリングヘッダーに応答して応答メッセージを受信することであって、前記応答メッセージは、電源遮断動作が行われることを指示する、ことと、
前記応答メッセージを受信した後に前記電源遮断動作を行うことと
を行うようにさらに構成されている、請求項１０に記載のＭ２Ｍ機器。
【請求項１２】
前記停電指示子は、１ビットの緊急タイプフィールドである、請求項１０に記載のＭ２Ｍ機器。
【請求項１３】
前記シグナリングヘッダーは、Ｍ２Ｍ非正常電源遮断報告ヘッダーである、請求項１０に記載のＭ２Ｍ機器。
【請求項１４】
Ｍ２Ｍ（Ｍａｃｈｉｎｅ  ｔｏ  Ｍａｃｈｉｎｅ）通信環境をサポートする基地局であって、前記基地局は、
送信機と、
受信機と、
非正常停電状況をサポートするために前記送信機及び前記受信機と連結されたプロセッサと
を含み、
前記プロセッサは、
シグナリングヘッダーを伝送するための帯域幅を要請する帯域幅要請プリアンブルシーケンスをＭ２Ｍ機器から受信することであって、前記シグナリングヘッダーは、前記非正常停電状況を報告するために使用される、ことと、
前記帯域幅要請プリアンブルシーケンスに応答して前記帯域幅を指示する資源割り当て情報を伝送することと、
前記帯域幅を介して前記Ｍ２Ｍ機器からシグナリングヘッダーを受信することであって、前記シグナリングヘッダーは、前記非正常停電状況を報告するための停電指示子を含む、ことと
を行うように構成されている、基地局。
【請求項１５】
前記プロセッサは、前記シグナリングヘッダーに応答して応答メッセージを伝送するようにさらに構成され、前記応答メッセージは、電源遮断動作が行われることを指示する、請求項１４に記載の基地局。
【請求項１６】
前記停電指示子は、１ビットの緊急タイプフィールドである、請求項１４に記載の基地局。
【請求項１７】
前記応答メッセージは、受信確認応答（ＡＣＫ）メッセージ又はＭ２Ｍ非正常電源遮断確認ヘッダーである、請求項１５に記載の基地局。
【請求項１８】
前記シグナリングヘッダーは、Ｍ２Ｍ非正常電源遮断報告ヘッダーである、請求項１４に記載の基地局。
【手続補正２】
【補正対象書類名】明細書
【補正対象項目名】００２８
【補正方法】変更
【補正の内容】
【００２８】
前記本発明の各様態は、本発明の望ましい各実施例の一部に過ぎなく、本願発明の技術的特徴が反映された多様な実施例は、当該技術分野で通常の知識を有する者であれば、以下で詳述する本発明の詳細な説明に基づいて導出して理解することができる。
本願明細書は、例えば、以下の項目も提供する。
（項目１）
Ｍ２Ｍ環境をサポートする無線接続システムで非正常停電状況を報告する方法において、
正常モードである連結状態のＭ２Ｍ機器が前記非正常停電状況を検出する段階；及び
前記Ｍ２Ｍ機器が基地局に前記非正常停電状況を報告するための停電指示子を含むシグナリングヘッダーを伝送する段階；を含む、非正常停電状況の報告方法。
（項目２）
前記Ｍ２Ｍ機器は、前記シグナリングヘッダーを伝送するための帯域幅を要請する帯域幅要請プリアンブルシーケンスを前記基地局に伝送する段階；及び
前記帯域幅要請プリアンブルシーケンスに対する応答として前記帯域幅に対する資源割り当て情報を含むＣＤＭＡ割り当て指示子を受信する段階；を含み、
前記シグナリングヘッダーは、前記資源割り当て情報で指示する前記帯域幅を通して伝送される、項目１に記載の非正常停電状況の報告方法。
（項目３）
前記停電指示子は１ビットの緊急タイプフィールドである、項目１に記載の非正常停電状況の報告方法。
（項目４）
前記シグナリングヘッダーはＭ２Ｍ非正常電力遮断報告ヘッダーである、項目１に記載の非正常停電状況の報告方法。
（項目５）
Ｍ２Ｍ環境をサポートする無線接続システムで非正常停電状況を報告する方法において、
Ｍ２Ｍ機器から非正常停電状況を報告するための停電指示子を含むシグナリングヘッダーを受信する段階；及び
前記シグナリングヘッダーに対する応答として電源遮断動作の遂行を指示する応答メッセージを伝送する段階を含む、非正常停電状況の報告方法。
（項目６）
前記シグナリングヘッダーを伝送するための帯域幅を要請する帯域幅要請プリアンブルシーケンスを前記Ｍ２Ｍ機器から受信する段階；及び
前記帯域幅要請プリアンブルシーケンスに対する応答として前記帯域幅に対する資源割り当て情報を含むＣＤＭＡ割り当て指示子を伝送する段階；を含み、
前記シグナリングヘッダーは、前記資源割り当て情報で指示する前記帯域幅を通して受信される、項目５に記載の非正常停電状況の報告方法。
（項目７）
前記停電指示子は１ビットの緊急タイプフィールドである、項目５に記載の非正常停電状況の報告方法。
（項目８）
前記応答メッセージは、受信確認肯定応答メッセージ又はＭ２Ｍ非正常電源遮断確認ヘッダーである、項目５に記載の非正常停電状況の報告方法。
（項目９）
前記シグナリングヘッダーはＭ２Ｍ非正常電力遮断報告ヘッダーである、項目５に記載の非正常停電状況の報告方法。
（項目１０）
Ｍ２Ｍ環境をサポートする無線接続システムで非正常停電状況を報告するＭ２Ｍ機器において、
送信機；
受信機；及び
前記非正常停電状況の感知及び報告動作を制御するプロセッサ；を含み、
前記Ｍ２Ｍ機器のプロセッサを通して正常モードである連結状態で前記非正常停電状況を検出し；及び
基地局に前記非正常停電状況を報告するための停電指示子を含むシグナリングヘッダーを前記送信機を用いて伝送する、Ｍ２Ｍ機器。
（項目１１）
前記Ｍ２Ｍ機器は、
前記シグナリングヘッダーを伝送するための帯域幅を要請する帯域幅要請プリアンブルシーケンスを前記送信機を用いて前記基地局に伝送し；及び
前記帯域幅要請プリアンブルシーケンスに対する応答として前記帯域幅に対する資源割り当て情報を含むＣＤＭＡ割り当て指示子を前記受信機を用いて受信するようにさらに構成され、
前記シグナリングヘッダーは、前記資源割り当て情報で指示する前記帯域幅を通して伝送される、項目１０に記載のＭ２Ｍ機器。
（項目１２）
前記停電指示子は１ビットの緊急タイプフィールドである、項目１０に記載のＭ２Ｍ機器。
（項目１３）
前記シグナリングヘッダーはＭ２Ｍ非正常電力遮断報告ヘッダーである、項目１０に記載のＭ２Ｍ機器。